(57)【特許請求の範囲】
【請求項１】
デジタル伝送信号とアナログ伝送信号を１つの伝送チャンネルを介して放送するために、該デジタル伝送信号と該アナログ伝送信号を混合して、振幅変調同時放送信号を生成する振幅変調同時放送信号生成方法において、
上記デジタル伝送信号を、上記伝送チャンネルの搬送波の一方の側波帯に変調するステップと、
上記アナログ伝送信号とは異なる補正信号を、上記伝送チャンネルの他方の側波帯に変調するステップと、
上記両方の側波帯の信号を混合して、上記振幅変調同時放送信号を生成するステップとを有し、
上記補正信号は、上記伝送チャンネルの包絡線検波による復調信号が上記アナログ伝送信号を表すように決定されることを特徴とする振幅変調同時放送信号生成方法。
【請求項２】
上記デジタル伝送信号を伝送チャンネルの搬送波の一方の側波帯に変調するステップの前に、上記補正信号を反復処理により生成するステップを更に有し、
上記反復処理におけるそれぞれ処理は、
上記デジタル伝送信号を上記一方の側波帯に変調するステップと、
上記アナログ伝送信号又は前回の反復処理で生成された補正信号を上記他方の側波帯に変調するステップと、
上記変調された両方の側波帯の信号を混合して同時放送信号を生成するステップと、
上記生成された同時放送信号を包絡線検波によって復調するステップと、
上記同時放送信号の生成及び復調処理にかかる時間遅延された上記アナログ伝送信号から、上記包絡線検波によって復調された同時放送信号を減算して誤差信号を生成するステップと、
上記誤差信号を時間的に可変又は時間的に不変の係数（ｋｎ：０≦ｎ≦Ｎ）で重み付けするステップと、
上記重み付けされた誤差信号と、上記遅延されたアナログ伝送信号又は前回の反復処理で生成された補正信号とを加算して、上記伝送チャンネルの他方の側波帯に変調する補正信号又は次回の反復処理における他方の側波帯に変調する補正信号とするステップと、
上記同時放送信号の生成及び復調処理と上記誤差信号の生成及び重み付け処理とにかかる時間、上記デジタル伝送信号を遅延して、上記伝送チャンネルの搬送波の一方の側波帯に変調するデジタル伝送信号又は次回の反復処理における一方の側波帯に変調するデジタル伝送信号とするステップとを有し、
上記反復処理における各処理は、互いに異なる上記時間的に可変又は時間的に不変の係数（ｋｎ：０≦ｎ≦Ｎ）と、上記アナログ伝送信号又は上記生成された補正信号を用いてＮ回繰り返され、上記Ｎは、０を含む正の整数であり、Ｎ回目の反復処理後に生成された補正信号の所望の精度に基づいて決定されることを特徴とする請求項１記載の振幅変調同時放送信号生成方法。
【請求項３】
上記デジタル伝送信号は、デジタルラジオモンディアル信号であることを特徴とする請求項１又は２記載の振幅変調同時放送信号生成方法。
【請求項４】
上記アナログ伝送信号は、振幅変調信号であることを特徴とする請求項１乃至３いずれか１項記載の振幅変調同時放送信号生成方法。
【請求項５】
デジタル伝送信号とアナログ伝送信号を１つの伝送チャンネルを介して放送するために、該デジタル伝送信号と該アナログ伝送信号を混合して、振幅変調同時放送信号を生成する振幅変調同時放送信号生成装置において、
上記デジタル伝送信号を、上記伝送チャンネルの搬送波の一方の側波帯に変調する第１の変調器と、
上記アナログ伝送信号とは異なる補正信号を、上記伝送チャンネルの他方の側波帯に変調する第２の変調器と、
上記第１及び第２の変調器からの両方の側波帯の信号を混合して、上記振幅変調同時放送信号を生成する第１の加算器とを備え、
上記第２の変調器には、上記伝送チャンネルの包絡線検波による復調信号が上記アナログ伝送信号を表すように決定された上記補正信号が供給されることを特徴とする振幅変調同時放送信号生成装置。
【請求項６】
上記第１及び第２の変調器の前段に第１の補正信号生成器を更に備え、
上記第１の補正信号生成器は、
上記デジタル伝送信号を、上記一方の側波帯に変調する第３の変調器と、
上記アナログ伝送信号を、上記他方の側波帯に変調する第４の変調器と、
上記第３及び第４の変調器からの両方の側波帯の信号を混合して同時放送信号を生成する第２の加算器と、
上記第２の加算器で生成された同時放送信号を包絡線検波によって復調する第１の包絡線検波復調器と、
上記同時放送信号の生成及び復調処理にかかる時間、上記アナログ伝送信号を遅延する第１の遅延器と、
上記第１の遅延器で遅延されたアナログ伝送信号から、上記第１の包絡線検波復調器で復調された同時放送信号を減算して誤差信号を生成する第１の減算器と、
上記第１の減算器からの誤差信号を時間的に可変又は時間的に不変の係数（ｋ０）で重み付けする第１の乗算器と、
上記第１の乗算器からの重み付けされた誤差信号と上記第１の遅延器で遅延されたアナログ伝送信号を加算して、上記補正信号を生成する第３の加算器と、
上記同時放送信号の生成及び復調処理と上記誤差信号の生成及び重み付け処理とにかかる時間、上記デジタル伝送信号を遅延する第２の遅延器とを備え、
上記第３の加算器は、生成した補正信号を上記第２の変調器に供給し、上記第２の遅延器は、遅延したデジタル伝送信号を上記第１の変調器に供給することを特徴とする請求項５記載の振幅変調同時放送信号生成装置。
【請求項７】
上記第１の補正信号生成器と、上記第１及び第２の変調器との間に、縦続接続されたＮ段の第２の補正信号生成器を更に備え、
上記Ｎ段の第２の補正信号生成器のそれぞれは、
上記第１の補正信号生成器又は前段の第２の補正信号生成器から供給されるデジタル伝送信号を、上記一方の側波帯に変調する第５の変調器と、
上記第１の補正信号生成器又は前段の第２の補正信号生成器から供給される補正信号を、上記他方の側波帯に変調する第６の変調器と、
上記第５及び第６の変調器からの両方の側波帯の信号を混合して同時放送信号を生成する第４の加算器と、
上記第４の加算器で生成された同時放送信号を包絡線検波によって復調する第２の包絡線検波復調器と、
上記同時放送信号の生成及び復調処理にかかる時間、上記第１の補正信号生成器又は前段の第２の補正信号生成器からのアナログ伝送信号を遅延する第３の遅延器と、
上記第３の遅延器で遅延されたアナログ伝送信号から、上記第２の包絡線検波復調器で復調された同時放送信号を減算して誤差信号を生成する第２の減算器と、
上記第２の減算器からの誤差信号を時間的に可変又は時間的に不変の係数（ｋｎ：１≦ｎ≦Ｎ）で重み付けする第２の乗算器と、
上記同時放送信号の生成及び復調処理と上記誤差信号の生成及び重み付け処理とにかかる時間、上記第１の補正信号生成器又は前段の第２の補正信号生成器からの補正信号を遅延する第４の遅延器と、
上記第２の乗算器からの重み付けされた誤差信号と上記第４の遅延器で遅延された補正信号を加算して、新たな補正信号を生成する第５の加算器と、
上記同時放送信号の生成及び復調処理と上記誤差信号の生成及び重み付け処理とにかかる時間、上記第１の補正信号生成器又は前段の第２の補正信号生成器から供給されるデジタル伝送信号を遅延する第５の遅延器とを備え、
上記第５の加算器は、生成した新たな補正信号を補正信号として、後段の補正信号生成器又は上記第２の変調器に供給し、上記第５の遅延器は、遅延したデジタル伝送信号を、後段の補正信号生成器又は上記第１の変調器に供給し、上記第３の遅延器は、遅延したアナログ伝送信号を後段の補正信号生成器に供給し、
上記Ｎは、正の整数であり、Ｎ段目の第２の補正信号生成器から出力される補正信号の所望の精度に基づいて決定されることを特徴とする請求項６記載の振幅変調同時放送信号生成装置。
【請求項８】
上記デジタル伝送信号は、デジタルラジオモンディアル信号であることを特徴とする請求項５乃至７いずれか１項記載の振幅変調同時放送信号生成装置。
【請求項９】
上記アナログ伝送信号は、振幅変調信号であることを特徴とする請求項５乃至８いずれか１項記載の振幅変調同時放送信号生成装置。
【請求項１０】
コンピュータのメモリに読み込まれ、該コンピュータにおいて実行されたときに、上記請求項１乃至４いずれか１項記載の振幅変調同時放送信号生成方法を実行する命令を含むコンピュータプログラム。
【発明の詳細な説明】
【０００１】
【発明の属する技術分野】
本発明は、１つの伝送チャンネルを介して放送される、デジタル伝送信号とアナログ伝送信号が混合された振幅変調同時放送信号（amplitude modulation simulcast broadcast signal：以下、ＡＭ同時放送信号という。）を生成するＡＭ同時放送生成方法及び装置に関する。
【０００２】
【従来の技術】
デジタルラジオモンディアル（Digital Radio Mondial：以下、ＤＲＭという。）は、周波数帯域が３０ＭＨｚ以下で放送するデジタル放送サービスである。従来のアナログ放送サービスと新しいデジタル放送サービスの信号を同時に伝送することにより、ＤＲＭの導入が容易になり、且つ加速されているが、ＤＲＭが導入されても、アナログ放送サービスを利用している聴取者は、今まで通り放送を聴くことができる。
【０００３】
【発明が解決しようとする課題】
基本的には、ＡＭバンド（AM band）を用いた同時放送の技術は既に知られている。同時放送技術の１つとして、第１に、両側波帯変調（Double Sideband Modulation：以下、ＤＳＢという。）における帯域幅の半分をアナログ信号チャンネルとし、もう半分をデジタル信号チャンネルとする技術が知られている。しかしながら、アナログ信号用の音声帯域幅（audio bandwidth）が従来の５０％に減少し、また、デジタル信号用の半分のチャンネルからアナログ信号用の半分のチャンネルへのクロストーク（crosstalk）があり、既存のアナログ受信機では、最新の技術を用いておらず、すなわち標準のフィルタを用いているので、歪み生じるといった欠点がある。第２に知られている同時放送技術は、インバンドオンチャンネル（in Band On Channel：以下、ＩＢＯＣという。）方式であり、ＩＢＯＣ方式では、デジタル信号を、元のアナログ信号に直交（orthogonal）するように変調する。しかしながら、ＩＢＯＣ方式では、デジタル受信機において非常に大きなダイナミックレンジ（dynamic range）が要求され、また、アナログ信号チャンネルからデジタル信号チャンネルへの又はデジタル信号チャンネルからアナログ信号チャンネルへのクロストークがあり、デジタルシステム及びアナログシステムに歪みが生じるいう欠点がある。
【０００４】
本発明は、上述した実情に鑑みてなされたものであり、本発明の目的は、１つの伝送チャンネルを介してデジタル伝送信号とアナログ伝送信号を同時放送するための新たな振幅変調同時放送信号生成方法及び装置を提供することである。
【０００５】
【課題を解決するための手段】
【０００６】
本発明に係る振幅変調同時放送信号生成方法は、デジタル伝送信号とアナログ伝送信号を１つの伝送チャンネルを介して放送するために、デジタル伝送信号とアナログ伝送信号を混合して、振幅変調同時放送信号を生成する振幅変調同時放送信号生成方法において、第１の変調器１において、デジタル伝送信号を、上記伝送チャンネルの搬送波の一方の側波帯に変調するステップと、第２の変調器２において、アナログ伝送信号とは異なる補正信号を、上記伝送チャンネルの他方の側波帯に変調するステップと、第１の加算器３において、両方の側波帯の信号を混合して、振幅変調同時放送信号を生成するステップとを有する。そして、補正信号は、伝送チャンネルの包絡線検波による復調信号がアナログ伝送信号を表すように決定される。
【０００７】
更に、本発明に係る振幅変調同時放送信号生成方法は、デジタル伝送信号を伝送チャンネルの搬送波の一方の側波帯に変調するステップの前に、補正信号を反復処理により生成するステップを有する、この反復処理におけるそれぞれ処理は、第３の変調器５又は第５の変調器２２において、デジタル伝送信号を一方の側波帯に変調するステップと、第４の変調器６又は第６の変調器１５において、アナログ伝送信号又は前回の反復処理で生成された補正信号を他方の側波帯に変調するステップと、第２の加算器７又は第４の加算器１６において、変調された両方の側波帯の信号を混合して同時放送信号を生成するステップと、第１の包絡線検波復調器９又は第２の包絡線検波復調器１７において、生成された同時放送信号を包絡線検波によって復調するステップと、第１の減算器１１又は第２の減算器１９において、同時放送信号の生成及び復調処理にかかる時間遅延されたアナログ伝送信号から、包絡線検波によって復調された同時放送信号を減算して誤差信号を生成するステップと、第１の乗算器１２又は第２の乗算器２０において、誤差信号を時間的に可変又は時間的に不変の係数（ｋｎ：０≦ｎ≦Ｎ）で重み付けするステップと、第３の加算器１３又は第５の加算器２１において、重み付けされた誤差信号と、遅延されたアナログ伝送信号又は前回の反復処理で生成された補正信号とを加算して、伝送チャンネルの他方の側波帯に変調する補正信号又は次回の反復処理における他方の側波帯に変調する補正信号とするステップと、第２の遅延器１４又は第５の遅延器２３において、同時放送信号の生成及び復調処理と誤差信号の生成及び重み付け処理とにかかる時間、デジタル伝送信号を遅延して、伝送チャンネルの搬送波の一方の側波帯に変調するデジタル伝送信号又は次回の反復処理における一方の側波帯に変調するデジタル伝送信号とするステップとを有する。そして、反復処理における各処理は、互いに異なる時間的に可変又は時間的に不変の係数（ｋｎ：０≦ｎ≦Ｎ）と、アナログ伝送信号又は生成された補正信号を用いてＮ回繰り返され、Ｎは、０を含む正の整数であり、Ｎ回目の反復処理後に生成された補正信号の所望の精度に基づいて決定される。
【００１１】
本発明に係るＡＭ同時放送信号生成装置は、デジタル伝送信号とアナログ伝送信号を１つの伝送チャンネルを介して放送するために、デジタル伝送信号とアナログ伝送信号を混合して、振幅変調同時放送信号を生成する振幅変調同時放送信号生成装置において、デジタル伝送信号を、伝送チャンネルの搬送波の一方の側波帯に変調する第１の変調器（１）と、アナログ伝送信号とは異なる補正信号を、伝送チャンネルの他方の側波帯に変調する第２の変調器（２）と、第１及び第２の変調器（１、２）からの両方の側波帯の信号を混合して、振幅変調同時放送信号を生成する第１の加算器（３）とを備える。そして、第２の変調器（２）には、伝送チャンネルの包絡線検波による復調信号がアナログ伝送信号を表すように決定された補正信号が供給される。
【００１３】
本発明に係るＡＭ同時放送信号生成装置は、第１及び第２の変調器（１、２）の前段に第１の補正信号生成器を更に備える。この第１の補正信号生成器は、デジタル伝送信号を、一方の側波帯に変調する第３の変調器（５）と、アナログ伝送信号を、他方の側波帯に変調する第４の変調器（６）と、第３及び第４の変調器（５、６）からの両方の側波帯の信号を混合して同時放送信号を生成する第２の加算器（７）と、第２の加算器（７）で生成された同時放送信号を包絡線検波によって復調する第１の包絡線検波復調器（９）と、同時放送信号の生成及び復調処理にかかる時間、アナログ伝送信号を遅延する第１の遅延器（１０）と、第１の遅延器（１０）で遅延されたアナログ伝送信号から、第１の包絡線検波復調器（９）で復調された同時放送信号を減算して誤差信号を生成する第１の減算器（１１）と、第１の減算器（１１）からの誤差信号を時間的に可変又は時間的に不変の係数（ｋ０）で重み付けする第１の乗算器（１２）と、第１の乗算器（１２）からの重み付けされた誤差信号と第１の遅延器（１０）で遅延されたアナログ伝送信号を加算して、補正信号を生成する第３の加算器（１３）と、同時放送信号の生成及び復調処理と誤差信号の生成及び重み付け処理とにかかる時間、デジタル伝送信号を遅延する第２の遅延器（１４）とを備える。そして、第３の加算器（１３）は、生成した補正信号を第２の変調器（２）に供給し、第２の遅延器（１４）は、遅延したデジタル伝送信号を上記第１の変調器（２）に供給する。
【００１４】
本発明に係るＡＭ同時放送信号生成装置は、第１の補正信号生成器と、第１及び第２の変調器（１、２）との間に、縦続接続されたＮ段の第２の補正信号生成器を更に備える。Ｎ段の第２の補正信号生成器のそれぞれは、第１の補正信号生成器又は前段の第２の補正信号生成器から供給されるデジタル伝送信号を、一方の側波帯に変調する第５の変調器（２２）と、第１の補正信号生成器又は前段の第２の補正信号生成器から供給される補正信号を、上記他方の側波帯に変調する第６の変調器（１５）と、第５及び第６の変調器（２２、１５）からの両方の側波帯の信号を混合して同時放送信号を生成する第４の加算器（１６）と、第４の加算器（１６）で生成された同時放送信号を包絡線検波によって復調する第２の包絡線検波復調器（１７）と、同時放送信号の生成及び復調処理にかかる時間、第１の補正信号生成器又は前段の第２の補正信号生成器からのアナログ伝送信号を遅延する第３の遅延器（２５）と、第３の遅延器（２５）で遅延されたアナログ伝送信号から、第２の包絡線検波復調器（１７）で復調された同時放送信号を減算して誤差信号を生成する第２の減算器（１９）と、第２の減算器（１９）からの誤差信号を時間的に可変又は時間的に不変の係数（ｋｎ：１≦ｎ≦Ｎ）で重み付けする第２の乗算器（２０）と、同時放送信号の生成及び復調処理と誤差信号の生成及び重み付け処理とにかかる時間、第１の補正信号生成器又は前段の第２の補正信号生成器からの補正信号を遅延する第４の遅延器（１８）と、第２の乗算器（２０）からの重み付けされた誤差信号と第４の遅延器（１８）で遅延された補正信号を加算して、新たな補正信号を生成する第５の加算器（２１）と、同時放送信号の生成及び復調処理と誤差信号の生成及び重み付け処理とにかかる時間、第１の補正信号生成器又は前段の第２の補正信号生成器から供給されるデジタル伝送信号を遅延する第５の遅延器（２３）とを備える。第５の加算器（２１）は、生成した新たな補正信号を補正信号として、後段の補正信号生成器又は第２の変調器（２）に供給し、第５の遅延器（２３）は、遅延したデジタル伝送信号を、後段の補正信号生成器又は第１の変調器（２）に供給し、第３の遅延器（２５）は、遅延したアナログ伝送信号を後段の補正信号生成器に供給する。Ｎは、正の整数であり、Ｎ段目の第２の補正信号生成器から出力される補正信号の所望の精度に基づいて決定される。
【００１７】
本発明では、デジタルラジオモンディアル（Digital Radio Mondial：ＤＲＭ）信号がデジタル伝送信号として伝送される。なお、他の標準的な方法によって生成されたデジタル伝送信号を伝送することもできる。
【００１８】
本発明では、従来のＡＭ信号がアナログ伝送信号として伝送される。
【００１９】
【発明の実施の形態】
以下、本発明に係る振幅変調同時放送信号（amplitude modulation simulcast broadcast signal：以下、ＡＭ同時放送信号という。）を生成するＡＭ同時放送生成方法及びＡＭ同時放送信号生成装置について、図面を参照しながら詳細に説明する。
【００２０】
本発明では、デジタル信号とアナログ信号を１つのチャンネルに混合する。その際、本発明では、デジタル信号に歪みが生ずるのを避けるために、デジタル変調信号を、受信機においてデジタル変調信号を歪みなく（distortion-free）復調することができるチャンネルの一方の側波帯（sideband）で伝送するようにしている。
【００２１】
また、同時放送信号（simulcast）の包絡線は、理論上はアナログ信号を表しているので、同時放送信号は、既存のＡＭ放送システム（AM broadcast system）と下位互換性（backward compatible）を有する。本発明では、ＡＭチャンネルの変調されていない側波帯を、後述する補正信号（correcting signal）Ｃで変調することによって、同時放送信号の下位互換性を保証している。
【００２２】
ここで、同時放送信号のスペクトルを図２に示す。チャンネルの上側波帯の信号は、例えばデジタルラジオモンディアル（Digital Radio Mondial：以下、ＤＲＭという。）信号のようなデジタル変調信号からなり、チャンネルの下側波帯の信号は、補正信号Ｃからなる。同時放送信号の推定値（estimation）が得られるように、両方の側波帯の中央に搬送波を加える。勿論、デジタル変調信号をチャンネルの下側波帯で伝送し、補正信号Ｃをチャンネルの上側波帯で伝送することも可能である。
【００２３】
同時放送信号を包絡線検波によって復調することにより、完全な音声帯域幅を有する歪みのないアナログ音声信号が得られる。例えば、１０ｋＨｚのＡＭチャンネルでは、アナログ信号の音声帯域幅は５ｋＨｚである。したがって、同時放送信号によって、音声帯域幅は変化しない。
【００２４】
音声信号には、チャンネル歪み又はアナログＡＭ／中間周波数フィルタ（Intermediate Frequency filter：以下、ＩＦフィルタという。）の周波数応の歪みがある場合のみ、すなわちＡＭ受信機のＩＦフィルタの特性が低品質であり、非対称であるときのみ、歪みが発生する。
【００２５】
デジタル変調ＤＲＭ信号は、アナログ信号によって歪むことはない。
【００２６】
補正信号Ｃの生成には、例えば反復処理（iterative process）を用いる。この反復処理によって、ＤＲＭ信号を上側波帯に変調し、アナログ信号を下側波帯に変調する。あるいは、ＤＲＭ信号を下側波帯に変調し、アナログ信号を上側波帯に変調してもよい。そして、両方の側波帯の中央に搬送波を加え、同時放送信号の推定値が得られる。上側波帯（ＵＳＢ）、下側波帯（ＬＳＢ）及び搬送波からなる完全な同時放送信号の推定値を、包絡線検波復調器（envelope demodulator）によって復調する。その後、アナログ信号から、包絡線検波によって復調されたアナログ信号を減算することにより、誤差信号（error signal）が得られる。誤差信号を係数ｋで重み付けした後、誤差信号をアナログ信号に加算して、アナログ音声信号を表す下側波帯の信号の新たな推定値が得られる。この反復処理は、補正信号Ｃが得られるまでＮ回繰り返されて、同時放送信号が生成され、伝送される。
【００２７】
なお、係数ｋは、アナログ信号及び／又はデジタル信号及び／又は誤差信号の振幅によって変化してもよい。
【００２８】
図１は、本発明を適用したＡＭ同時放送生成装置の具体的な構成を示すブロック図である。このＡＭ同時放送生成装置は、図１に示すように、入力デジタル伝送信号を伝送チャンネルの搬送波の片方の側波帯、例えば上側波帯（ＵＳＢ）に変調する第１の変調器１と、補正信号Ｃを伝送チャンネルの搬送波の他方の側波帯、例えば下側波帯（ＬＳＢ）に変調する第２の変調器２と、両方の側波帯の中央に位置する搬送波を発生する第１の搬送波発生器４と、第１の変調器１からの上側波帯の信号、第２の変調器２からの下側波帯の信号及び第１の搬送波発生器４からの搬送波を混合する第１の加算器３とを備える。そして、同時放送信号は、第１の変調器１で伝送チャンネルの搬送波の上側波帯に変調された入力デジタル伝送信号と、第２の変調器２で伝送チャンネルの搬送波の下側波帯に、例えば振幅変調された補正信号Ｃと、第１の搬送波発生器４からの搬送波とを、第１の加算器３において混合することにより、生成される。
【００２９】
また、本発明を適用したＡＭ同時放送信号生成装置は、図１に示すように、上述の補正信号Ｃを生成する縦続接続された少なくとも１つの補正信号生成器を備える。初段の補正信号生成器は、同じく図１に示すように、入力デジタル伝送信号を片方の側波帯、例えば上側波帯に変調する第３の変調器５と、入力アナログ伝送信号を他方の側波帯、例えば下側波帯に変調する第４の変調器６と、両方の側波帯の中央に位置する搬送波を発生する第２の搬送波発生器８と、第３の変調器５からの上側波帯の信号、第４の変調器６からの下側波帯の信号及び第２の搬送波発生器８からの搬送波を混合する第２の加算器７とを備える。そして、第３の変調器５は、入力デジタル伝送信号を上側波帯に変調して第２の加算器７に供給し、第４の変調器６は、入力アナログ伝送信号を下側波帯に、例えば振幅変調して第２の加算器７に供給する。第２の加算器７は、第３の変調器５からの上側波帯の信号、第４の変調器６からの下側波帯の信号及び第２の搬送波発生器８からの搬送波を混合して同時放送信号を生成する。
【００３０】
更に、初段の補正信号生成器は、図１に示すように、第２の加算器７で生成された同時放送信号を包絡線検波によって復調する第１の包絡線検波復調器９と、同時放送信号の生成及び復調処理かかる時間、入力アナログ伝送信号を遅延する第１の遅延器１０と、第１の遅延器１０で遅延された入力アナログ伝送信号から、第１の包絡線検波復調器９で復調された同時放送信号を減算して誤差信号を生成する第１の減算器１１と、第１の減算器１１からの誤差信号を時間的に可変又は時間的に不変の係数で重み付けする第１の乗算器１２と、第１の乗算器１２からの重み付けされた誤差信号と第１の遅延器１０で遅延された入力アナログ伝送信号を加算して、補正信号Ｃを生成する第３の加算器１３と、同時放送信号の生成及び復調処理と誤差信号の生成及び重み付け処理とにかかる時間、入力デジタル伝送信号を遅延する第２の遅延器１４とを備える。そして、第１の包絡線検波復調器９は、第２の加算器７で生成された同時放送信号を包絡線検波によって復調して第１の減算器１１に供給する。また、第１の減算器１１には、第１の遅延器１０から、上述した同時放送信号の生成及び復調処理かかる時間遅延された入力アナログ伝送信号が供給されており、第１の減算器１１は、この入力アナログ伝送信号から、同時放送信号を復調して得られるアナログ伝送信号を減算して誤差信号を生成して、第１の乗算器１２に供給する。すなわち、この誤差信号は、受信機側で得られる同時放送信号を復調したアナログ信号と、送信機側の入力アナログ伝送信号との誤差に対応している。第１の乗算器１２は、誤差信号に時間的に可変又は時間的に不変の係数ｋ０を乗算して、誤差信号を重み付けし、第３の加算器１３に供給する。第３の加算器１３は、第１の乗算器１２からの重み付けされた誤差信号と第１の遅延器１０で遅延された入力アナログ伝送信号を加算して、補正信号Ｃを生成し、この補正信号Ｃを、上述した第２の変調器２に供給し、あるいは中間の（intermediate）補正信号として次の段の補正信号生成器に供給する。一方、第２の遅延器１４は、入力デジタル伝送信号を、同時放送信号の生成及び復調処理と、誤差信号の生成及び重み付け処理とにかかる時間遅延して、次の段の補正信号生成器、あるいは上述した第１の変調器１に供給する。
【００３１】
初段の補正信号生成器以降の各信号補正生成器（以下、１段目の補正信号生成器、２段目の補正信号生成器、・・・、Ｎ段目の補正信号生成器という。）は、全て同じ回路構成を有し、例えばｎ（１≦ｎ≦Ｎ）段目の補正信号生成器は、図１に示すように、ｎ−１段目の補正信号生成器からの入力デジタル伝送信号を上側波帯に変調する変調器２２ｎと、ｎ−１段目の補正信号生成器からの中間の補正信号を下側波帯に変調する変調器１５ｎと、両方の側波帯の中央に位置する搬送波を発生する搬送波発生器２４ｎと、変調器２２ｎからの上側波帯の信号、変調器１５ｎからの下側波帯の信号及び搬送波発生器２４ｎからの搬送波を混合して同時放送信号を生成する加算器１６ｎと、加算器１６ｎで生成された同時放送信号を包絡線検波によって復調する包絡線検波復調器１７ｎと、当該段での同時放送信号の生成及び復調処理かかる時間、ｎ−１段目の補正信号生成器からの入力アナログ伝送信号を遅延する遅延器２５ｎと、遅延器２５ｎで遅延された入力アナログ伝送信号から、包絡線検波復調器１７ｎで復調された同時放送信号を減算して誤差信号を生成する減算器１９ｎと、減算器１９ｎからの誤差信号を時間的に可変又は時間的に不変の係数ｋｎで重み付けする乗算器２０ｎと、当該段での同時放送信号の生成及び復調処理と誤差信号の生成及び重み付け処理とにかかる時間、ｎ−１段目の補正信号生成器からの中間の補正信号を遅延する遅延器１８ｎと、乗算器２０ｎからの重み付けされた誤差信号と遅延器１８ｎで遅延された中間の補正信号を加算して、新たな中間の補正信号を生成する加算器２１ｎと、当該段での同時放送信号の生成及び復調処理と誤差信号の生成及び重み付け処理とにかかる時間、入力デジタル伝送信号を遅延する遅延器２３ｎとを備える。なお、上述したように、初段の補正信号生成器以降の各信号補正生成器は同じ回路構成を有するので、各段の補正信号生成器の詳細な動作については、説明を省略する。
【００３２】
各段の補正信号生成器は、中間の補正信号又はＮ段目の補正信号生成器では補正信号Ｃを生成する。１つの補正信号生成器によって生成される補正信号Ｃは、通常、粗な推定値であるので、入力アナログ伝送信号を適切に伝送ができないこともある。反対に、このような補正信号Ｃの品質でも、入力アナログ伝送信号を適切に伝送することができることもある。１つの補正信号生成器によって生成された補正信号Ｃでは不十分なときには、第３の加算器１３から出力される補正信号Ｃを、後段のＮ段の同様な補正信号生成器によって、上述した初段の補正信号生成器での処理と同様に処理する。このとき、入力デジタル伝送信号は、初段の補正信号生成器での遅延と同様に遅延される。このような処理は、例えばＮ（０を含む整数）回繰り返される。なお、繰返し回数Ｎは、補正信号が所望の精度で求められたかによって、決定される。
【００３３】
以上の説明でも明らかなように、本発明を適用したＡＭ同時放送生成装置では、アナログ伝送信号とデジタル伝送信号を１つの伝送チャンネルの上側波帯と下側波帯を介して同時放送する際に、送信機側において、アナログ伝送信号を下側波帯に振幅変調した後、包絡線検波によって復調し、元のアナログ伝送信号と復調されたアナログ伝送信号の誤差を求め、この誤差が少なくなるようにアナログ伝送信号を補正し、補正されたアナログ伝送信号を同時放送するようにしている。この結果、受信機において実際に受信して復調したときのデジタル伝送信号からのクロストークや歪みを小さくすることができる。
【００３４】
【発明の効果】
本発明では、１つの伝送チャンネルを介して放送される、デジタル伝送信号とアナログ伝送信号が混合された振幅変調同時放送信号を生成する際に、デジタル伝送信号を伝送チャンネルの搬送波の一方の側波帯に変調し、伝送チャンネルの包絡線検波による復調信号がアナログ伝送信号を表すように決定される補正信号を、伝送チャンネルの他方の側波帯に変調することにより、クロストークや歪みを小さくすることができる。
【図面の簡単な説明】
【図１】  本発明を適用したＡＭ同時放送信号生成器の構成を示すブロック図である。
【図２】  本発明に基づく同時放送信号のスペクトルを示す図である。
【符号の説明】
１  第１の変調器、２  第２の変調器、３  第１の加算器、４  搬送波発生器、５  第３の変調器、６  第４の変調器、７  第２の加算器、８  第２の搬送波発生器、９  包絡線検波復調器、１１  第１の減算器、１２  第１の乗算器、１３  第３の加算器
【図１】
0004011998.tif 000002
【図２】
0004011998.tif 000003